(57)【要約】【課題】霧状に噴霧された機能水を視認し易い洗面化粧台を提供する。【解決手段】排水口を有するボウル部と、除菌作用を有する機能水を霧状に噴霧する機能水噴霧部を有し、前記ボウル部内又は前記ボウル部の上方に前記機能水噴霧部を配置し、前記機能水を前記ボウル部内へ噴霧する機能水吐出装置と、前記機能水噴霧部から噴霧されている最中の前記機能水のうちで前記機能水噴霧部よりも下方の所定範囲に存在する前記機能水に光を照射する第１照射部と、前記第１照射部から照射された光の全体及び前記ボウル部内に対して、前記第１照射部から照射される光とは異なる色の光を照射可能な第２照射部と、を備えたことを特徴とする洗面化粧台である。【選択図】図５
2018042594.tif 000002
【特許請求の範囲】
【請求項１】
排水口を有するボウル部と、
除菌作用を有する機能水を霧状に噴霧する機能水噴霧部を有し、前記ボウル部内又は前記ボウル部の上方に前記機能水噴霧部を配置し、前記機能水を前記ボウル部内へ噴霧する機能水吐出装置と、
前記機能水噴霧部から噴霧されている最中の前記機能水のうちで前記機能水噴霧部よりも下方の所定範囲に存在する前記機能水に光を照射する第１照射部と、
前記第１照射部から照射された光の全体及び前記ボウル部内に対して、前記第１照射部から照射される光とは異なる色の光を照射可能な第２照射部と、
を備えたことを特徴とする洗面化粧台。
【請求項２】
前記ボウル部よりも上方に設置され、内部に物品を収納可能なミラーキャビネットをさらに備え、
前記第２照射部は、前記ミラーキャビネットの下部、又は前記ボウル部と前記ミラーキャビネットとの間に設けられたことを特徴とする請求項１記載の洗面化粧台。
【請求項３】
前記第２照射部よりも下方で、且つ前記ボウル部よりも上方に設けられ、光を反射させる反射面を有する反射部材をさらに備えたことを特徴とする請求項１又は２に記載の洗面化粧台。
【請求項４】
前記反射部材は、鏡であることを特徴とする請求項３記載の洗面化粧台。
【請求項５】
前記機能水噴霧部からの前記機能水の噴霧を操作する操作部と、
前記操作部の操作に応じて前記第１照射部を点灯させ、前記機能水噴霧部から前記機能水を噴霧させるとともに、前記第２照射部を点灯させる制御部と、
をさらに備えたことを特徴とする請求項１〜４のいずれか１つに記載の洗面化粧台。
【請求項６】
人体の接近を検知する人体検知センサと、
前記人体検知センサによる人体の検知に応じて前記第２照射部を点灯させる制御部と、
をさらに備えたことを特徴とする請求項１〜４のいずれか１つに記載の洗面化粧台。
【発明の詳細な説明】
【技術分野】
【０００１】
本発明の態様は、一般的に、洗面化粧台に関する。
【背景技術】
【０００２】
一般的に、排水口が設けられたボウル部を有する洗面台と、ボウル部に水を吐出する吐水部を有する水栓装置と、を備えた洗面化粧台が知られている。また、除菌作用を有する機能水を生成する機能水生成手段と、機能水生成手段により生成された機能水を水周り設備に散布する機能水散布手段と、を備えた水周り設備洗浄装置を洗面化粧台に設けることが知られている（特許文献１）。これにより、例えば、排水口や排水口の内部における菌の繁殖などを抑えることができる。
【０００３】
また、例えば使用者の口内に入れる歯ブラシに機能水を吐出し、歯ブラシの衛生性を担保することが検討されている。歯ブラシの先端、根元及び内部の菌を減らすためには、一定量の機能水が必要となるが、機能水は、一度に大量に生成することが難しい。このため、機能水を霧状に噴霧し、噴霧される機能水の流速を高め、比較的広い範囲に長い時間にわたって機能水を吐出することが効果的である。
【０００４】
しかしながら、霧状に機能水を噴霧すると、使用者が機能水を視認し難くなり、噴霧された機能水に歯ブラシを当て難くなってしまう可能性がある。そこで、噴霧部から霧状に噴霧されている機能水に照射部から光を照射し、霧状に噴霧されている機能水を視認し易くすることも考えられている。しかし、例えば夜間など洗面化粧台周りが暗く、照射部から照射された光と背景との明暗差が大きい場合、光が照射された機能水だけでなく、光自体が暗い背景と比べて帯状に明るく見えてしまう。このため、機能水が噴霧されている部分ではない光照射部分に、使用者が誤って歯ブラシの先端を持っていってしまうことが懸念される。
【０００５】
このため、洗面化粧台では、夜間など化粧台周りが暗い場合にも、霧状に噴霧された機能水を視認し易くすることが望まれる。
【先行技術文献】
【特許文献】
【０００６】
【特許文献１】特開平１０−２８７２１号公報
【発明の概要】
【発明が解決しようとする課題】
【０００７】
本発明は、かかる課題の認識に基づいてなされたものであり、夜間など洗面化粧台周りが暗い場合であっても、霧状に噴霧された機能水を視認し易い洗面化粧台を提供することを目的とする。
【課題を解決するための手段】
【０００８】
第１の発明は、排水口を有するボウル部と、除菌作用を有する機能水を霧状に噴霧する機能水噴霧部を有し、前記ボウル部内又は前記ボウル部の上方に前記機能水噴霧部を配置し、前記機能水を前記ボウル部内へ噴霧する機能水吐出装置と、前記機能水噴霧部から噴霧されている最中の前記機能水のうちで前記機能水噴霧部よりも下方の所定範囲に存在する前記機能水に光を照射する第１照射部と、前記第１照射部から照射された光の全体及び前記ボウル部内に対して、前記第１照射部から照射される光とは異なる色の光を照射可能な第２照射部と、を備えたことを特徴とする洗面化粧台である。
【０００９】
この洗面化粧台によれば、第２照射部が第１照射部から照射される光の全体及びボウル部内に対して、第１照射部から照射される光とは異なる色の光を照射することで、夜間などの化粧台周りが暗い場合でも、第１照射部によって光が照射された霧状に噴霧されている機能水を使用者に視認させることができる。すなわち、第１照射部から照射される光の全体及びボウル部内が明るくなるため、第１照射部から照射された光と背景との明暗差を抑制し、第１照射部から照射された光のうち、機能水噴霧部から噴霧された機能水に当たっている照射範囲と、それ以外の照射範囲とを明確に区別し易くすることができる。
【００１０】
第２の発明は、第１の発明において、前記ボウル部よりも上方に設置され、内部に物品を収納可能なミラーキャビネットをさらに備え、前記第２照射部は、前記ミラーキャビネットの下部、又は前記ボウル部と前記ミラーキャビネットとの間に設けられたことを特徴とする洗面化粧台である。
【００１１】
この洗面化粧台によれば、ミラーキャビネットの下部、又はボウル部とミラーキャビネットとの間に第２照射部を設けることにより、ボウル部よりも上方に物品を収納可能なミラーキャビネットを設置した際にも、開いた状態のまま放置されたミラーキャビネットの扉（鏡）や開いた状態のまま放置されたミラーキャビネットに収納された物品などにより、第２照射部がボウル部及び機能水へ向けて照射した光が遮られてしまうことを抑制することができる。したがって、霧状に噴霧されている機能水を、より確実に使用者に視認させることができる。
【００１２】
第３の発明は、第１又は第２の発明において、前記第２照射部よりも下方で、且つ前記ボウル部よりも上方に設けられ、光を反射させる反射面を有する反射部材をさらに備えたことを特徴とする洗面化粧台である。
【００１３】
この洗面化粧台によれば、第２照射部よりも下方で、且つボウル部よりも上方に光を反射させる反射面を有する反射部材を設けたことによって、第２照射部より反射部材の反射面へ照射された光を反射を利用して霧状に噴霧されている機能水及び第１照射部から照射される光に当てることができるようになり、夜間などの化粧台周りが暗い場合でも、第１照射部によって光が照射された霧状に噴霧されている機能水をより視認し易くすることができる。例えば、第２照射部から照射された光が、機能水噴霧部によって遮られ、第２照射部から照射された光に影ができてしまうことを抑制することができる。
【００１４】
第４の発明は、第３の発明において、前記反射部材は、鏡であることを特徴とする洗面化粧台である。
【００１５】
この洗面化粧台によれば、第２照射部から照射された光を効率良く反射させ、第１照射部によって光が照射された霧状に噴霧されている機能水をより視認し易くすることができる。また、反射部材が鏡であるため、第２照射部による光の反射部材としてだけでなく、例えば、背の低い子供などが身だしなみなどを確認するための鏡としても利用することができる。
【００１６】
第５の発明は、第１〜第４のいずれか１つの発明において、前記機能水噴霧部からの前記機能水の噴霧を操作する操作部と、前記操作部の操作に応じて前記第１照射部を点灯させ、前記機能水噴霧部から前記機能水を噴霧させるとともに、前記第２照射部を点灯させる制御部と、をさらに備えたことを特徴とする洗面化粧台である。
【００１７】
この洗面化粧台によれば、機能水が噴霧される際には第２照射部を確実に点灯させることができる。したがって、夜間などの化粧台周りが暗い場合でも、第１照射部によって光が照射された霧状に噴霧されている機能水を、より確実に使用者に視認させることができる。
【００１８】
第６の発明は、第１〜第４のいずれか１つの発明において、人体の接近を検知する人体検知センサと、前記人体検知センサによる人体の検知に応じて前記第２照射部を点灯させる制御部と、をさらに備えたことを特徴とする洗面化粧台である。
【００１９】
この洗面化粧台によれば、人体の検知に応じて第２照射部を確実に点灯させることができる。したがって、夜間などの化粧台周りが暗い場合でも、第１照射部によって光が照射された霧状に噴霧されている機能水を、より確実に使用者に視認させることができる。
【発明の効果】
【００２０】
本発明の態様によれば、夜間など洗面化粧台周りが暗い場合であっても、霧状に噴霧された機能水を視認し易い洗面化粧台が提供される。
【図面の簡単な説明】
【００２１】
【図１】第１の実施形態に係る洗面化粧台を表す模式的斜視図である。
【図２】第１の実施形態に係る機能水吐出装置を表す模式的断面図である。
【図３】第１の実施形態に係る洗面化粧台の要部構成を表す模式的ブロック図である。
【図４】機能水生成部の一例を表す説明図である。
【図５】第１の実施形態に係る洗面化粧台を表す模式的側面図である。
【図６】第１の実施形態に係る洗面化粧台の動作の一部を表すフローチャートである。
【図７】図７（ａ）及び図７（ｂ）は、参考例の洗面化粧台を表す模式的側面図である。
【図８】第２の実施形態に係る洗面化粧台の要部構成を表す模式的ブロック図である。
【図９】第２の実施形態に係る洗面化粧台の動作の一部を表すフローチャートである。
【図１０】第３の実施形態に係る洗面化粧台を表す模式的側面図である。
【発明を実施するための形態】
【００２２】
以下、本発明の実施の形態について図面を参照しつつ説明する。なお、各図面中、同様の構成要素には同一の符号を付して詳細な説明は適宜省略する。  
（第１の実施形態）  
図１は、第１の実施形態に係る洗面化粧台を表す模式的斜視図である。  
図１に表したように、洗面化粧台１０は、洗面器１２と、水栓装置１４と、機能水吐出装置１６と、支持台１８と、を備える。
【００２３】
なお、本願明細書において、「上」、「下」、「右」および「左」という記載は、洗面化粧台１０の前で洗面化粧台１０を見た人を基準とした上、下、右および左をそれぞれいう。また、本願明細書においては、洗面化粧台１０から、洗面化粧台１０の前に居る人へ向かう方向を「前」方向とし、その逆方向を「後」方向とする。
【００２４】
洗面器１２は、ボウル部２０を有する。ボウル部２０は、下方に向かって凹んだ凹状に形成されている。ボウル部２０は、排水口２２を有する。排水口２２は、ボウル部２０の底部に設けられている。排水口２２は、図示を省略した排水管に接続され、ボウル部２０に吐出された水を排水管に流す。ボウル部２０は、排水口２２に向かって下方へ傾斜した排水勾配が形成されたボウル面２０ａを有する。なお、排水口２２には、上下方向に昇降することにより排水口２２を開閉する排水栓を設けてもよい。
【００２５】
洗面器１２は、支持台１８の上に設けられる。支持台１８は、洗面器１２を支持する。支持台１８は、例えば、本体部１８ａと、２つの引き出し１８ｂ、１８ｃと、を有する。本体部１８ａは、例えば、前方及び上方を開口させた略直方体の開口箱状である。本体部１８ａの上方の開口は、洗面器１２によって塞がれる。ボウル部２０の少なくとも一部は、本体部１８ａの上方の開口から本体部１８ａ内に入り込む。
【００２６】
各引き出し１８ｂ、１８ｃは、上方を開口させた略直方体の開口箱状である。各引き出し１８ｂ、１８ｃは、本体部１８ａに前後に移動可能に支持され、本体部１８ａ内に収納された収納位置（図１に表した位置）と、本体部１８ａから前方に引き出された引出位置と、に移動する。各引き出し１８ｂ、１８ｃは、収納位置にある状態において、本体部１８ａの前方の開口を塞ぐ。そして、各引き出し１８ｂ、１８ｃは、引出位置にある状態において、内部に物品を収納可能とする。
【００２７】
このように、支持台１８は、物品を収納可能なキャビネットとしても機能する。支持台１８は、換言すれば、下部キャビネット（フロアキャビネット）である。なお、引き出しの数は、２つに限ることなく、１つでもよいし、３つ以上でもよい。また、支持台１８は、引き出し式のキャビネットに限ることなく、扉式のキャビネットでもよい。
【００２８】
支持台１８は、必ずしも収納機能を有していなくてもよい。支持台１８は、洗面器１２を支持可能な任意の構成でよい。また、洗面器１２は、例えば、洗面所などの壁面に直接取り付けてもよい。すなわち、支持台１８は、必要に応じて設けられ、省略可能である。
【００２９】
水栓装置１４は、洗面器１２のボウル部２０に向けて水を吐出する。水栓装置１４は、水を吐出する吐水口１４ａを有する吐水部１４ｂと、吐水口１４ａから吐出される水の流量及び温度を調節する操作部１４ｃと、を有する。水栓装置１４は、支持台１８の内部空間などにおいて湯水混合部などを介して給水管及び給湯管に接続される。水栓装置１４から吐出される水は、例えば、上水（水道水）である。操作部１４ｃは、吐水部１４ｂと別に設けてもよい。水栓装置１４は、少なくとも吐水部１４ｂ（いわゆるスパウト）を有していればよい。
【００３０】
機能水吐出装置１６は、除菌作用を有する機能水をボウル部２０に吐出する。洗面化粧台１０では、例えば、機能水吐出装置１６からボウル部２０に機能水を吐出することにより、排水口２２や排水口２２の内部における菌の繁殖を抑えることができる。洗面化粧台１０では、例えば、排水口２２及び排水口２２の内部の除菌を行い、洗面器１２を清潔に保つことができる。また、洗面化粧台１０では、例えば、歯ブラシやコップなどに機能水を吐出することにより、これらの除菌を行うこともできる。
【００３１】
この例では、洗面器１２が、水栓装置１４及び機能水吐出装置１６を支持する支持部１２ａを有する。支持部１２ａは、ボウル部２０の後方に設けられ、ボウル部２０の後方且つ上方に水栓装置１４及び機能水吐出装置１６を配置する。
【００３２】
このように、機能水吐出装置１６は、例えば、水栓装置１４と並べて支持部１２ａに取り付けられる。この場合、水栓装置１４と機能水吐出装置１６との間の距離を適切に設定することにより、機能水吐出装置１６から吐出された機能水が、水栓装置１４にかかってしまうことを抑制することができる。水栓装置１４を介して使用者が機能水を誤飲してしまうことを抑制することができる。
【００３３】
水栓装置１４及び機能水吐出装置１６の取り付け位置は、上記に限ることなく、ボウル部２０に水及び機能水を吐出可能な任意の位置でよい。例えば、ボウル部２０の後端から上方に延びるバックガード部を洗面器１２に設け、このバックガード部に水栓装置１４及び機能水吐出装置１６を取り付けてもよい。あるいは、洗面器１２の後部上方に設けられる取付パネルに水栓装置１４及び機能水吐出装置１６を取り付けてもよい。また、機能水吐出装置１６の取り付け箇所は、水栓装置１４の取り付け箇所と同じでもよいし、異なってもよい。例えば、水栓装置１４は、取付パネルに設け、機能水吐出装置１６は、洗面器１２に設けてもよい。
【００３４】
洗面化粧台１０は、バックパネル２４（反射部材）と、ミラーキャビネット２６と、下部照明３１（第２照射部）と、上部照明３２と、をさらに備える。
【００３５】
ミラーキャビネット２６は、ボウル部２０を有する洗面器１２よりも上方に設置される。ミラーキャビネット２６は、キャビネット本体４０と、３枚の扉４１〜４３と、を有する。キャビネット本体４０は、前方を開口させた略直方体の開口箱状であり、内部に物品を収納可能とする。各扉４１〜４３は、キャビネット本体４０に上下方向を軸に回転可能に軸支され、キャビネット本体４０の前方の開口を塞ぐ閉じ位置（図１に表した位置）と、キャビネット本体４０の前方の開口を露呈させる開き位置と、に移動する。また、各扉４１〜４３の前面には、鏡４１ａ〜４３ａが設けられている。なお、ミラーキャビネット２６に設けられる扉及び鏡の数は、３枚に限ることなく、１枚又は２枚でもよいし、４枚以上でもよい。
【００３６】
バックパネル２４は、洗面器１２とミラーキャビネット２６との間に設けられ、洗面器１２とミラーキャビネット２６との間の隙間を埋める。これにより、洗面化粧台１０の意匠性を向上させることができる。また、この例において、バックパネル２４は、鏡である。バックパネル２４の前面２４ａは、光を反射させる反射面として機能する。これにより、例えば、背の低い子供などが身だしなみの確認などを行うことができる。
【００３７】
下部照明３１は、ミラーキャビネット２６の下部に設けられている。下部照明３１は、例えば、ミラーキャビネット２６において各扉４１〜４３よりも下方に設けられる。下部照明３１は、下方に向かって光を照射し、ボウル部２０を照明する。下部照明３１は、左右方向に延び、ボウル部２０の略全体を照明する。下部照明３１は、例えば、ボウル部２０の一部のみをスポット的に照明してもよい。
【００３８】
下部照明３１は、ミラーキャビネット２６の下部に限ることなく、ボウル部２０とミラーキャビネット２６との間に設けてもよい。下部照明３１は、ミラーキャビネット２６とは別に、洗面所の壁面などに取り付けてもよい。下部照明３１の取付位置は、洗面器１２（ボウル部２０）と各扉４１〜４３との間の任意の位置でよい。
【００３９】
上部照明３２は、ミラーキャビネット２６の上部に設けられている。上部照明３２は、例えば、ミラーキャビネット２６において各扉４１〜４３よりも上方に設けられる。バックパネル２４は、下部照明３１及び上部照明３２よりも下方で、且つボウル部２０よりも上方に設けられる。上部照明３２は、下方に向かって光を照射し、各扉４１〜４３（各鏡４１ａ〜４３ａ）、及びボウル部２０を照明する。このように、下部照明３１及び上部照明３２で照明を行うことにより、夜間などにおいても使用者が洗面化粧台１０を利用することができる。
【００４０】
上部照明３２は、左右方向に延び、各扉４１〜４３及びボウル部２０の略全体を照明する。上部照明３２は、例えば、各扉４１〜４３及びボウル部２０の一部のみをスポット的に照明してもよい。また、上部照明３２は、ミラーキャビネット２６よりも上に設けてもよい。上部照明３２は、ミラーキャビネット２６とは別に、洗面所の壁面などに取り付けてもよい。
【００４１】
図２は、第１の実施形態に係る機能水吐出装置を表す模式的断面図である。  
図２に表したように、機能水吐出装置１６は、装置本体５０と、機能水噴霧部５２と、操作部５４と、表示部５６と、噴霧照射部５８（第１照射部）と、を有する。
【００４２】
装置本体５０は、上下方向に延びる第１部分５０ａと、第１部分５０ａの上端から水平方向に延びる第２部分５０ｂと、を有する。第１部分５０ａ及び第２部分５０ｂは、中空状である。換言すれば、装置本体５０は、略Ｌ字状に屈曲した筒状である。装置本体５０は、内部の空間に機能水吐出装置１６の各部を保持する。装置本体５０は、第１部分５０ａの下端において、洗面器１２の支持部１２ａに取り付けられる。装置本体５０の形状は、上記に限ることなく、任意の形状でよい。
【００４３】
機能水噴霧部５２は、装置本体５０の第２部分５０ｂの先端部に下方に向けて設けられている。機能水噴霧部５２は、機能水を霧状にしてボウル部２０に噴霧する。機能水噴霧部５２は、噴霧口５２ａを有する。噴霧口５２ａは、例えば、ミストノズルである。機能水噴霧部５２から噴霧される霧状の機能水の外径（広がりの幅）は、機能水噴霧部５２の噴霧口５２ａの開口径よりも大きい。機能水噴霧部５２は、例えば、円錐状に機能水を噴霧する。これにより、例えば、ボウル部２０の広範囲に機能水を付着させることができ、洗面器１２をより適切に除菌することができる。また、歯ブラシの毛束の内部（内側に生える毛の根元部）の菌を減らすためには、機能水を歯ブラシの毛束の内部まで浸入させる必要があるが、機能水を霧状に噴霧することで、機能水の流速を高めることができ、機能水を勢いでもって歯ブラシの毛束の内部まで浸入させることができる。
【００４４】
機能水噴霧部５２から噴霧される霧状の機能水の粒子径は分布を持っており、サブミクロンオーダーのものから、２０００マイクロメートルを超えるものまで存在するが、その平均粒子径は、例えば約２００マイクロメートル（μｍ）以上１５００μｍ以下程度である。これにより、例えば、必要な洗浄性能を確保することができ、かつ機能水の不要な飛散を抑制することができる。なお、ここでいう平均粒子径はＨｅ−Ｎｅレーザを利用したフランホーヘル解析法で得られる粒子径分布に基づいたザウター平均値（総体積／総表面積）であり、直径相当のものを言う。
【００４５】
操作部５４は、装置本体５０の第１部分５０ａの上端部に上方に向けて設けられている。操作部５４は、例えば、使用者が押圧操作する押しボタンである。操作部５４は、押しボタンに限ることなく、スライド式の操作部やレバー状の操作部などでもよい。操作部５４の形状及び操作態様は、使用者が操作可能な任意の形状及び操作態様でよい。
【００４６】
操作部５４は、機能水噴霧部５２からの機能水の吐止水の操作に用いられる。機能水吐出装置１６は、使用者による操作部５４の操作に応じて水を吐出する。機能水吐出装置１６は、例えば、操作部５４の操作に応じて機能水の噴霧を所定時間（例えば、１０秒間）行い、所定時間の経過に応じて自動的に機能水の噴霧を停止する。
【００４７】
機能水吐出装置１６は、例えば、操作部５４の１回目の操作で機能水の噴霧を行い、操作部５４の２回目の操作で機能水の噴霧を停止させてもよい。例えば、所定時間の経過などにより、操作部５４の操作とは無関係に機能水吐出装置１６から自動的に機能水を噴霧してもよい。以下では、操作部５４の操作に応じて行う機能水の噴霧を「手動吐水」、操作部５４の操作とは無関係に行う機能水の噴霧を「自動吐水」と称す。
【００４８】
操作部５４は、機能水吐出装置１６（装置本体５０）とは別に洗面化粧台１０に設けてもよい。操作部５４は、例えば、ミラーキャビネット２６の前面などに設けてもよい。操作部５４の取付位置は、使用者が操作可能な任意の位置でよい。
【００４９】
表示部５６は、操作部５４内に設けられている。表示部５６は、操作部５４に設けられた表示窓５４ａに光を入射させ、光の点灯・消灯により、使用者に対して機能水吐出装置１６の状態の表示を行う。表示部５６は、例えば、光の点灯・消灯により、自動吐水機能のオン・オフの状態を表示する。表示部５６は、例えば、自動吐水機能がオンに設定されている場合に点灯し、自動吐水機能がオフに設定されている場合に消灯することにより、自動吐水機能のオン・オフを使用者に表示する。
【００５０】
自動吐水機能のオン・オフは、例えば、操作部５４の操作によって切り替えられる。例えば、自動吐水機能がオフに設定されている状態で操作部５４を長押しする（所定時間押し続ける）ことにより、オンに設定される。そして、自動吐水機能がオンに設定されている状態で操作部５４を長押しすることにより、オフに設定される。
【００５１】
表示部５６による使用者への表示は、自動吐水機能のオン・オフに限ることなく、使用者への表示が必要な任意の情報でよい。また、表示部５６の表示の態様は、光の点灯・消灯に限ることなく、使用者への表示が可能な任意の態様でよい。例えば、色や文字を変化させることによって表示を行ってもよい。表示部５６には、例えば、ディスプレイ装置などを用いてもよい。また、表示部５６は、操作部５４とは別に装置本体５０に設けてもよい。
【００５２】
噴霧照射部５８は、機能水噴霧部５２と並べて装置本体５０の第２部分５０ｂに設けられている。また、噴霧照射部５８は、下方に向けて第２部分５０ｂに設けられている。噴霧照射部５８は、機能水噴霧部５２から機能水を噴霧する際に点灯する。噴霧照射部５８は、機能水噴霧部５２から噴霧されている最中の機能水のうちで機能水噴霧部５２よりも下方の所定範囲に存在する機能水に光を照射する。これにより、噴霧照射部５８は、機能水の噴霧が行われていることを使用者に報知するとともに、噴霧されている霧状の機能水を見易くする。
【００５３】
噴霧照射部５８は、例えば、円錐状に光を照射する。噴霧照射部５８の光の照射範囲Ｒ１は、機能水噴霧部５２の機能水の噴霧範囲Ｒ２よりも広い。換言すれば、噴霧照射部５８の光の照射角度θ１は、機能水噴霧部５２の機能水の噴霧角度θ２よりも広い。これにより、噴霧照射部５８は、機能水噴霧部５２から噴霧されている最中の機能水のうちで機能水噴霧部５２よりも下方の所定範囲に存在する機能水の略全体に光を照射する。噴霧照射部５８は、機能水噴霧部５２から噴霧され、所定位置よりも下方に降下する機能水の略全体に光を照射する。これにより、噴霧されている霧状の機能水をより見易くすることができる。
【００５４】
また、噴霧照射部５８は、例えば、自動吐水機能を開始する直前に点滅することにより、自動吐水機能が開始されることを使用者に報知する。使用者への報知方法としては、点滅以外に点灯するものや明滅するものであってもよい。吐水が行われているか否かの報知、及び自動吐水開始の報知は、例えば、表示部５６で行ってもよい。吐水が行われているか否かの報知、及び自動吐水開始の報知は、光の照射に限ることなく、例えば、音声などで行ってもよい。これらの報知は、報知が可能な任意の態様でよい。
【００５５】
噴霧照射部５８は、機能水吐出装置１６（装置本体５０）とは別に洗面化粧台１０に設けてもよい。噴霧照射部５８は、例えば、水栓装置１４と一体に設けてもよい。噴霧照射部５８は、例えば、機能水吐出装置１６とは別に、支持部１２ａなどに設けてもよい。噴霧照射部５８の取付位置は、機能水噴霧部５２から噴霧された機能水に光を照射可能な任意に位置でよい。
【００５６】
但し、噴霧照射部５８を水栓装置１４や機能水吐出装置１６に一体に設けることにより、例えば、洗面化粧台１０の部品の増加などを抑えることができる。例えば、洗面化粧台１０において、出っ張り部や角部などの増加を抑制し、清掃性を向上させることもできる。
【００５７】
図３は、第１の実施形態に係る洗面化粧台の要部構成を表す模式的ブロック図である。  図３に表したように、洗面化粧台１０は、分岐金具８２と、開閉弁８４と、電磁弁８６と、機能水生成部８８と、制御部９０と、照明スイッチ９２と、をさらに備える。
【００５８】
分岐金具８２、開閉弁８４、電磁弁８６、機能水生成部８８、及び制御部９０は、例えば、支持台１８の本体部１８ａ内に設けられる。一方、照明スイッチ９２は、例えば、ミラーキャビネット２６の前面など、使用者が外側から操作可能な位置に設けられる。照明スイッチ９２は、下部照明３１及び上部照明３２の点灯・消灯の切り替えに用いられる。照明スイッチ９２は、例えば、洗面器１２やミラーキャビネット２６などとは別に、洗面所の壁面などに取り付けてもよい。
【００５９】
水栓装置１４は、分岐金具８２及び開閉弁８４を介して給水源８０に接続されている。開閉弁８４は、水栓装置１４の操作部１４ｃに接続されている。開閉弁８４は、操作部１４ｃへの手動操作により、開状態と閉状態とを切り替える。そして、開閉弁８４が開状態となることにより、給水源８０から供給された水が、水栓装置１４の吐水部１４ｂからボウル部２０に吐出される。
【００６０】
機能水吐出装置１６の機能水噴霧部５２は、可撓性を有するチューブ６０を介して機能水生成部８８と接続されている。機能水生成部８８は、電磁弁８６及び分岐金具８２を介して給水源８０に接続されている。電磁弁８６は、制御部９０と電気的に接続され、制御部９０の制御に基づいて、開状態と閉状態とを切り替える。電磁弁８６が開状態となると、給水源８０から供給された水が、機能水生成部８８に供給される。
【００６１】
機能水生成部８８は、電磁弁８６から供給された水（水道水）から機能水を生成し、生成した機能水を機能水噴霧部５２に供給する。また、機能水生成部８８は、制御部９０と電気的に接続されている。機能水生成部８８における機能水の生成は、制御部９０によって制御される。
【００６２】
制御部９０は、電磁弁８６及び機能水生成部８８と電気的に接続されるとともに、機能水吐出装置１６の操作部５４、表示部５６、噴霧照射部５８と電気的に接続されている。表示部５６及び噴霧照射部５８の動作は、制御部９０によって制御される。操作部５４は、使用者の操作指示を制御部９０に入力する。制御部９０は、操作部５４からの操作指示の入力に応じて、電磁弁８６を開くとともに、機能水生成部８８を動作させる。これにより、使用者の操作部５４の操作に応じて、機能水が、機能水噴霧部５２からボウル部２０に霧状に噴霧される。
【００６３】
また、制御部９０は、機能水の噴霧に応じて噴霧照射部５８を点灯させ、前述のように、機能水噴霧部５２から噴霧された機能水を照明する。さらに、制御部９０は、操作部５４から入力された操作指示の内容に応じて、表示部５６の表示を変化させる。
【００６４】
制御部９０は、下部照明３１、上部照明３２、及び照明スイッチ９２とさらに電気的に接続されている。照明スイッチ９２は、使用者の操作指示を制御部９０に入力する。制御部９０は、照明スイッチ９２からの操作指示の入力に応じて、下部照明３１及び上部照明３２の点灯・消灯を切り替える。下部照明３１及び上部照明３２の点灯・消灯は、同時に切り替えてもよいし、２つの照明スイッチ９２を設け、個別に切り替えられるようにしてもよい。
【００６５】
また、制御部９０は、下部照明３１及び上部照明３２が消灯している状態で、操作部５４から機能水の噴霧の操作指示が入力された場合、機能水噴霧部５２による機能水の噴霧、及び噴霧照射部５８による機能水の照明に連動させて、下部照明３１及び上部照明３２を点灯させる。
【００６６】
図４は、機能水生成部の一例を表す説明図である。  
図４に表したように、機能水生成部８８は、陽極８８ａと、陰極８８ｂと、を内部に有し、制御部９０から出力された通電の制御信号により、陽極８８ａと、陰極８８ｂと、の間の空間（流路）を流れる水道水を電気分解することができる。水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。
【００６７】
そこで、電圧が陽極８８ａと陰極８８ｂとの間に供給されると、式（１）に表した反応が陰極８８ｂにおいて生ずる。
Ｈ＋＋ｅ−  →  １／２Ｈ２↑                 ・・・（１）
【００６８】
一方で、電圧が陽極８８ａと陰極８８ｂとの間に供給されると、式（２）および式（３）に表した反応が陽極８８ａにおいて生ずる。
２ＯＨ−  →  ２ｅ−＋Ｈ２Ｏ＋１／２Ｏ２↑    ・・・（２）
Ｃｌ−  →  ｅ−＋１／２Ｃｌ２               ・・・（３）
【００６９】
式（３）において発生した塩素は気泡としては存在しにくく、ほとんどの塩素は水に溶解する。そのため、式（３）において発生した塩素については、式（４）に表した反応が生ずる。このようにして、塩化物イオンを電気分解することにより次亜塩素酸（ＨＣｌＯ）が生成される。その結果、機能水生成部８８において電気分解された水は、次亜塩素酸を含む液に変化する。
Ｃｌ２＋Ｈ２Ｏ  →  ＨＣｌＯ＋Ｈ＋＋Ｃｌ−    ・・・（４）
【００７０】
次亜塩素酸は、除菌成分として機能する。次亜塩素酸を含む液は、例えばボウル部２０や排水口２２、排水口２２の内部、ヘアキャッチャーなどに付着している細菌を除菌することができる。
【００７１】
電解水が細菌と反応すると、式（５）に表した反応が生ずる。
Ｒ−Ｈ＋ＨＣｌＯ  →  Ｒ−ＯＨ＋Ｈ＋＋Ｃｌ−    ・・・（５）
式（５）の中に表した「Ｒ−Ｈ」は、有機物であり、例えば細菌の細胞である。式（５）の中に表した「Ｒ−ＯＨ」は、分解された有機物である。これにより、細菌の細胞が変性され、除菌（殺菌）が行われる。そして、電解水が細菌と反応すると、除菌成分（ＨＣｌＯ）が失われるため、結果として、電解水（除菌水）の濃度が下がる。
【００７２】
また、時間が経つと、式（６）に表した反応が生ずる。
２ＨＣｌＯ  →  ２Ｈ＋＋２Ｃｌ−＋Ｏ２    ・・・（６）
このように、時間が経つと、除菌成分（ＨＣｌＯ）が失われるため、結果として、電解水（除菌水）の濃度が下がる。
【００７３】
上記のように、機能水が電解水であった場合、電解水を一度に多量に生成するためには、大型の電極、又は多量の電極が必要となる。このため、電解水は、一度に多量には生成し辛い。従って、電解水を機能水とする場合には、機能水を霧状に噴霧し、噴霧される機能水の流速を高め、比較的広い範囲に長い時間にわたって機能水を吐出することが、より効果的である。
【００７４】
なお、本実施形態の機能水生成部８８は、次亜塩素酸を含む液を生成することに限定されるわけではない。機能水生成部８８において生成される機能水は、銀イオンや銅イオンなどの金属イオンを含む液であってもよい。あるいは、機能水生成部８８において生成される機能水は、電解塩素やオゾンなどを含む液であってもよい。あるいは、機能水生成部８８において生成される機能水は、酸性水やアルカリ水であってもよい。また、機能水生成部８８は、電解槽と、陽極板と、陰極板と、を有する電解槽ユニットに限定されるわけではない。
【００７５】
図５は、第１の実施形態に係る洗面化粧台を表す模式的側面図である。  
なお、図５では、便宜的に洗面器１２及び支持台１８の一部を省略して図示している。  図５に表したように、機能水吐出装置１６は、洗面器１２の支持部１２ａから装置本体５０の第２部分５０ｂを前方に延ばすことにより、ボウル部２０の上方に機能水噴霧部５２を配置する。これにより、機能水吐出装置１６は、機能水をボウル部２０内へ噴霧する。機能水吐出装置１６は、例えば、排水口２２の上方に機能水噴霧部５２を配置する。機能水噴霧部５２は、排水口２２に向けて機能水を噴霧する。機能水噴霧部５２から噴霧された機能水の少なくとも一部は、排水口２２の上に落ちる。これにより、排水口２２及び排水口２２の内部における菌の繁殖をより確実に抑制することができる。
【００７６】
機能水噴霧部５２が機能水を噴霧する位置は、上記に限ることなく、ボウル部２０内へ機能水を噴霧可能な任意の位置でよい。また、機能水噴霧部５２は、ボウル部２０の上方に限ることなく、ボウル部２０内に配置してもよい。
【００７７】
図５に表したように、下部照明３１は、噴霧照射部５８から照射された光の全体及びボウル部２０内に対して光を照射する。また、下部照明３１から照射される光の色は、噴霧照射部５８から照射される光の色と異なる。
【００７８】
このように、下部照明３１は、噴霧照射部５８から照射された光の全体及びボウル部２０内に対して、噴霧照射部５８から照射される光とは異なる色の光を照射可能な第２照射部として機能する。
【００７９】
下部照明３１から照射される光の色は、例えば、白色光や昼白色光などである。下部照明３１から照射される光の色温度は、例えば、２５００Ｋ以上６５００Ｋ未満である。一方、噴霧照射部５８から照射される光の色は、例えば、青色光である。噴霧照射部５８から照射される光の色温度は、例えば、６５００Ｋ以上である。このように、噴霧照射部５８から照射される光の色を青色光とすることにより、霧状に噴霧された機能水を見易くすることができる。そして、下部照明３１から照射される光の色を白色光や昼白色光とすることにより、霧状に噴霧された機能水をより見易くすることができる。
【００８０】
また、下部照明３１は、下方に向けて光を照射することにより、噴霧照射部５８から照射された光の全体及びボウル部２０内に対して光を照射するとともに、鏡であるバックパネル２４の前面２４ａ（反射面）に、光の一部を入射させる。換言すれば、バックパネル２４の前面２４ａの少なくとも一部は、下部照明３１の光の照射範囲内に配置される。
【００８１】
図６は、第１の実施形態に係る洗面化粧台の動作の一部を表すフローチャートである。  図６に表したように、機能水吐出装置１６の操作部５４が使用者によって操作されると、機能水の噴霧を指示する操作指示が、操作部５４から洗面化粧台１０の制御部９０に入力される（図６のステップＳ１０１）。
【００８２】
制御部９０は、操作部５４から機能水の噴霧の操作指示を受けると、照明スイッチ９２の操作によって下部照明３１及び上部照明３２が消灯しているか否かを確認する（図６のステップＳ１０２）。
【００８３】
制御部９０は、下部照明３１及び上部照明３２が消灯している場合、下部照明３１及び上部照明３２を点灯させる（図６のステップＳ１０３）。この後、制御部９０は、噴霧照射部５８を点灯させ、電磁弁８６を開き、機能水生成部８８を動作させることにより、機能水噴霧部５２から機能水を噴霧させる（図６のステップＳ１０４〜Ｓ１０６）。なお、ステップＳ１０３〜Ｓ１０６の各動作の順序は、上記に限ることなく、入れ替え可能である。ステップＳ１０３〜Ｓ１０６の各動作は、例えば、実質的に同時に開始してもよい。
【００８４】
一方、制御部９０は、ステップＳ１０２において、下部照明３１及び上部照明３２が既に点灯していることを確認した場合、ステップＳ１０３の動作を省略し、機能水の噴霧を開始する。
【００８５】
制御部９０は、機能水噴霧部５２から機能水を所定時間噴霧した後、機能水生成部８８の動作を停止させ、電磁弁８６を閉じ、噴霧照射部５８を消灯させることにより、機能水の噴霧を停止させる。この際、操作部５４の操作に連動させて下部照明３１及び上部照明３２を点灯させた場合には、機能水の噴霧の停止とともに下部照明３１及び上部照明３２を消灯させてもよいし、機能水の噴霧の停止後も下部照明３１及び上部照明３２を点灯させたままとしてもよい。
【００８６】
図７（ａ）及び図７（ｂ）は、参考例の洗面化粧台を表す模式的側面図である。  
図７（ａ）に表したように、洗面化粧台の周囲が明るい場合には、下部照明３１及び上部照明３２を点灯させなくても、噴霧照射部５８から光を照射することにより、機能水噴霧部５２から噴霧されている最中の機能水のうちで機能水噴霧部５２よりも下方の噴霧範囲ＭＲに存在する機能水を視認し易くすることができる。噴霧範囲ＭＲは、換言すれば、照射範囲Ｒ１と噴霧範囲Ｒ２とが重なる範囲である。
【００８７】
しかしながら、図７（ｂ）に表したように、洗面化粧台の周囲が暗い場合には、下部照明３１及び上部照明３２を点灯させずに噴霧照射部５８のみから光を照射した場合、噴霧範囲ＭＲに存在する光が照射された機能水だけでなく、光自体が暗い背景と比べて帯状に明るく見えてしまう。このため、機能水が噴霧されている部分ではない光照射部分ＬＰに、使用者が誤って歯ブラシの先端を持っていってしまうことが懸念される。光照射部分ＬＰは、換言すれば、照射範囲Ｒ１から噴霧範囲Ｒ２を差し引いた差分の部分（ＬＰ＝Ｒ１−Ｒ２）である。
【００８８】
これに対して、本実施形態に係る洗面化粧台１０では、下部照明３１（第２照射部）が噴霧照射部５８（第１照射部）から照射される光の全体及びボウル部２０内に対して、噴霧照射部５８から照射される光とは異なる色の光を照射する。これにより、夜間などの洗面化粧台１０の周りが暗い場合でも、噴霧照射部５８によって光が照射された霧状に噴霧されている機能水を使用者に視認させることができる。すなわち、噴霧照射部５８から照射される光の全体及びボウル部２０内が明るくなるため、噴霧照射部５８から照射された光と背景との明暗差を抑制し、噴霧照射部５８から照射された光のうち、機能水噴霧部５２から噴霧された機能水に当たっている照射範囲と、それ以外の照射範囲とを明確に区別し易くすることができる。これにより、機能水が噴霧されている部分ではない光照射部分に、使用者が誤って歯ブラシの先端を持っていってしまうこと抑制することができる。したがって、歯ブラシの先端などに霧状に噴霧されている機能水を確実に当てることができる。
【００８９】
また、洗面化粧台１０では、ミラーキャビネット２６の下部に下部照明３１を設けることにより、ボウル部２０よりも上方に物品を収納可能なミラーキャビネット２６を設置した際にも、開いた状態のまま放置されたミラーキャビネット２６の各扉４１〜４３や開いた状態のまま放置されたミラーキャビネット２６に収納された物品などにより、下部照明３１がボウル部２０及び機能水へ向けて照射した光が遮られてしまうことを抑制することができる。したがって、霧状に噴霧されている機能水を、より確実に使用者に視認させることができる。
【００９０】
また、洗面化粧台１０では、下部照明３１及び上部照明３２よりも下方で、且つボウル部２０よりも上方に、反射面である前面２４ａを有するバックパネル２４が設けられている。これにより、下部照明３１よりバックパネル２４の前面２４ａへ照射された光を反射を利用して霧状に噴霧されている機能水及び噴霧照射部５８から照射される光に当てることができるようになり、夜間などの洗面化粧台１０の周りが暗い場合でも、噴霧照射部５８によって光が照射された霧状に噴霧されている機能水をより視認し易くすることができる。例えば、下部照明３１から照射された光が、機能水噴霧部５２（装置本体５０の第２部分５０ｂ）によって遮られ、下部照明３１から照射された光に影ができてしまうことを抑制することができる。
【００９１】
また、洗面化粧台１０では、バックパネル２４が、鏡である。これにより、下部照明３１から照射された光を効率良く反射させ、噴霧照射部５８によって光が照射された霧状に噴霧されている機能水をより視認し易くすることができる。また、バックパネル２４が鏡であるため、下部照明３１による光の反射部材としてだけでなく、例えば、背の低い子供などが身だしなみなどを確認するための鏡としても利用することができる。
【００９２】
また、洗面化粧台１０では、制御部９０が、操作部５４の操作に応じて噴霧照射部５８を点灯させ、機能水噴霧部５２から機能水を噴霧させるとともに、下部照明３１及び上部照明３２を点灯させる。これにより、機能水が噴霧される際には、第２照射部である下部照明３１を確実に点灯させることができる。したがって、夜間などの洗面化粧台１０の周りが暗い場合でも、噴霧照射部５８によって光が照射された霧状に噴霧されている機能水を、より確実に使用者に視認させることができる。
【００９３】
上記実施形態では、下部照明３１及び上部照明３２の２つの照明を設けている。例えば、下部照明３１から下方に向かって光を照射するとともに、上方に向かって光を照射し、ミラーキャビネット２６の各鏡４１ａ〜４３ａを照明することにより、上部照明３２を省略してもよい。第２照射部の数は、１つでもよいし、３つ以上でもよい。また、第２照射部の位置は、噴霧照射部５８から照射される光の全体及びボウル部２０内に対して、光を照射可能な任意の位置でよい。
【００９４】
上記実施形態では、制御部９０が、操作部５４の操作に応じて下部照明３１及び上部照明３２を点灯させている。下部照明３１及び上部照明３２の点灯・消灯は、上記に限ることなく、例えば、照明スイッチ９２の使用者の操作のみに基づいて切り替えてもよい。
【００９５】
上記実施形態では、下部照明３１及び上部照明３２が消灯している状態で操作部５４が操作された際に、すぐに下部照明３１及び上部照明３２を点灯させている。例えば、フォトダイオードなどの照度センサを設け、操作部５４が操作された際に、周囲の明るさが所定値未満の場合にのみ下部照明３１及び上部照明３２を点灯させ、周囲の明るさが所定値以上の場合には、下部照明３１及び上部照明３２を消灯させたまま、噴霧照射部５８のみを点灯させて機能水を噴霧してもよい。
【００９６】
（第２の実施形態）  
図８は、第２の実施形態に係る洗面化粧台の要部構成を表す模式的ブロック図である。  図８に表したように、洗面化粧台１００は、人体検知センサ１０２をさらに備える。なお、上記第１の実施形態と機能・構成上実質的に同じものについては、同符号を付し、詳細な説明を省略する。
【００９７】
人体検知センサ１０２は、洗面化粧台１００に接近する使用者などの人体を検知する。人体検知センサ１０２は、制御部９０と電気的に接続されている。人体検知センサ１０２は、洗面化粧台１００に接近した人体を検知し、検知結果を制御部９０に入力する。人体検知センサ１０２には、例えば、赤外線センサ、焦電センサ、マイクロ波センサなど、人体を検知可能な任意のセンサが用いられる。
【００９８】
図９は、第２の実施形態に係る洗面化粧台の動作の一部を表すフローチャートである。  図９に表したように、使用者などの接近が人体検知センサ１０２によって検知されると、人体の検知を表す信号が、人体検知センサ１０２から制御部９０に入力される（図９のステップＳ２０１）。
【００９９】
制御部９０は、人体検知センサ１０２によって人体の接近が検知されると、下部照明３１及び上部照明３２を点灯させる（図９のステップＳ２０２）。このように、制御部９０は、人体検知センサ１０２による人体の検知に応じて下部照明３１及び上部照明３２を点灯させる。
【０１００】
この後、制御部９０は、操作部５４から機能水の噴霧の操作指示を受けると、噴霧照射部５８を点灯させ、電磁弁８６を開き、機能水生成部８８を動作させることにより、機能水噴霧部５２から機能水を噴霧させる（図９のステップＳ２０３〜Ｓ２０６）。
【０１０１】
制御部９０は、所定時間機能水を噴霧した後、機能水の噴霧を停止させる。そして、制御部９０は、人体検知センサ１０２による人体の検知の停止に応じて、下部照明３１及び上部照明３２を消灯させる。
【０１０２】
このように、制御部９０は、人体検知センサ１０２の検知結果に応じて、下部照明３１及び上部照明３２の点灯・消灯を切り替えてもよい。この場合にも、上記第１の実施形態と同様に、機能水が噴霧される際には、第２照射部である下部照明３１を確実に点灯させることができる。したがって、夜間などの洗面化粧台１０の周りが暗い場合でも、噴霧照射部５８によって光が照射された霧状に噴霧されている機能水を使用者に視認させることができる。
【０１０３】
（第３の実施形態）  
図１０は、第３の実施形態に係る洗面化粧台を表す模式的側面図である。  
図１０に表したように、洗面化粧台１１０では、上記第１及び第２の実施形態のミラーキャビネット２６が、一面鏡１１２に置き換えられている。また、洗面化粧台１１０では、下部照明３１及び上部照明３２が省略され、照明１１４（第２照射部）が設けられている。
【０１０４】
照明１１４は、一面鏡１１２の上部に設けられている。照明１１４は、例えば、洗面所の壁面などに直接取り付けてもよい。図１０に表したように、この照明１１４においても、噴霧照射部５８から照射される光の全体及びボウル部２０内に対して、光を照射することができる。従って、上記第１及び第２の実施形態と同様に、夜間などの洗面化粧台１０の周りが暗い場合でも、噴霧照射部５８によって光が照射された霧状に噴霧されている機能水を使用者に視認させることができる。
【０１０５】
このように、第２照射部の取付位置は、必ずしもミラーキャビネット２６の下部、又はボウル部２０とミラーキャビネット２６との間に限らない。この例で示したように、例えば、一面鏡１１２を備えた洗面化粧台１１０に機能水吐出装置１６を設ける場合には、一面鏡１１２の上部、又は一面鏡１１２よりも上に照明１１４を設けてもよい。
【０１０６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面化粧台１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０７】
１０、１００、１１０ 洗面化粧台、  １２ 洗面器、  １４ 水栓装置、  １６ 機能水吐出装置、  １８ 支持台、  ２０ ボウル部、  ２２ 排水口、  ２４ バックパネル（反射部材）、  ２６ ミラーキャビネット、  ３１ 下部照明（第２照射部）、  ３２ 上部照明、  ４０ キャビネット本体、  ４１〜４３ 扉、  ５０ 装置本体、  ５２ 機能水噴霧部、  ５４ 操作部、  ５６ 表示部、  ５８ 噴霧照射部（第１照射部）、  ６０ チューブ、  ８０ 給水源、  ８２ 分岐金具、  ８４ 開閉弁、  ８６ 電磁弁、  ８８ 機能水生成部、  ９０ 制御部、  ９２ 照明スイッチ、  １０２ 人体検知センサ、  １１２ 一面鏡、  １１４ 照明（第２照射部）
【図１】
2018042594.tif 000003
【図２】
2018042594.tif 000004
【図３】
2018042594.tif 000005
【図４】
2018042594.tif 000006
【図５】
2018042594.tif 000007
【図６】
2018042594.tif 000008
【図７】
2018042594.tif 000009
【図８】
2018042594.tif 000010
【図９】
2018042594.tif 000011
【図１０】
2018042594.tif 000012